(57)【要約】【課題】  科目の異なる他病棟の患者情報であっても特定の病棟の患者情報に関しては表示することができるナースコール親機を備えたナースコールシステムを提供する。【解決手段】  患者情報の一覧を表示する第１モニタ２１を具備したナースコール親機２を異なる病棟に設置し、そのうち小児科病棟Ｅ１に設置されたナースコール親機２は、第１モニタ２１に産科病棟Ｅ２に設置されたナースコール親機２が表示する患者情報を表示する他科表示エリアＡ２を有し、ナースコールサーバ５は個々のナースコール親機２の設置病棟に合わせて表示する患者情報を記憶する第１データベース５１に加えて、他科表示エリアＡ２に表示させるために産科病棟の患者情報の新生児情報を複写して記憶する第２データベース５２を有する。【選択図】  図４
2015173907.tif 000002
【特許請求の範囲】
【請求項１】
ベッド毎に設置されて患者が看護師を呼び出すためのナースコール子機と、ナースステーションに設置されて前記ナースコール子機からの呼び出しに看護師が応答するためのナースコール親機と、病室毎に設置されて前記ナースコール子機からの呼び出しを報知すると共に呼出信号を前記ナースコール親機に伝送するための廊下灯と、前記ナースコール親機と前記廊下灯との間の通信を制御する制御機と、患者名、担当医師、担当看護師、救護区分、処方を含む患者情報が蓄積されたデータベースを有するナースコールサーバとを備えたナースコールシステムにおいて、
前記ナースコール親機を複数具備し、それぞれ前記患者情報の一覧を表示するモニタを有し、
そのうち特定の第１病棟に設置された前記ナースコール親機は、前記モニタに他科の特定の第２病棟に設置された前記ナースコール親機が表示可能な患者情報を表示する他科表示エリアを有し、
前記ナースコールサーバは、前記ナースコール親機が個々に設置病棟に合わせて表示する患者情報を記憶する第１データベースに加えて、前記他科表示エリアに表示させるために前記第２病棟の患者情報の少なくとも一部を複写して記憶する第２データベースを有することを特徴とするナースコールシステム。
【請求項２】
前記ナースコールサーバは、前記第２病棟の追加或いは変更された患者情報が予め設定された条件を満たしていれば、当該患者情報を複写して前記第２データベースに記憶することを特徴とする請求項１記載のナースコールシステム。
【請求項３】
患者の入退院等のオーダを指示するオーダリングシステムが前記ナースコールサーバに接続され、
前記オーダリングシステムにより入院患者が追加されると、前記ナースコールサーバは追加された患者情報が前記第２病棟の患者であって、且つ特定の条件を満たしていたら前記第２データベースに複写して登録することを特徴とする請求項２記載のナースコールシステム。
【請求項４】
前記第１病棟が小児科病棟であると共に、前記第２病棟が産科病棟であって、
前記ナースコールサーバは、新生児が入院患者として追加されたことを検知すると、追加された新生児の患者情報を前記第２データベースに複写して登録することを特徴とする請求項２又は３記載のナースコールシステム。
【請求項５】
前記他科表示エリアに表示されている患者のベッドから呼出信号が送信された場合、前記第２病棟に設置された前記ナースコール親機でのみ呼び出しを実施することを特徴とする請求項１乃至４の何れかに記載のナースコールシステム。
【発明の詳細な説明】
【技術分野】
【０００１】
本発明は、患者が看護師を呼び出して通話を実施できるナースコールシステムに関する。
【背景技術】
【０００２】
複数のナースコール親機を備えて、ナースステーション毎にナースコール親機を備えたナースコールシステムが普及している。従来のこのようなナースコールシステムは、ナースコール親機毎に表示される患者情報は異なり、ナースコール親機が設置されたナースステーションが担当するエリア（病棟）の患者情報のみ表示するよう構成され、他病棟の患者情報まで表示することはなかった（例えば、特許文献１参照）。
また、ナースコール親機には、患者情報をモニタに表示させる際にオーダリングシステムから送られてきた患者情報、及びベッド情報をもとに、病棟のベッド位置に合わせて表示するものがある（例えば、特許文献２参照）。
【先行技術文献】
【特許文献】
【０００３】
【特許文献１】特開２０００−１０７２３９号公報
【特許文献２】特開２０１０−５１５４４号公報
【発明の概要】
【発明が解決しようとする課題】
【０００４】
しかしながら、例えば産科病棟の新生児の場合は、症状によっては小児科医師が診察を行なうことがあるが、上述したように異なる病棟の患者情報は表示できないため、小児科病棟のナースコール親機では新生児の入院状況を把握することができず、産科病棟のナースコール親機において患者情報を把握するしかなかった。そのため、他病棟の患者情報であっても、少なくとも予め設定した特定の病棟の患者情報に関しては、その病棟に設置されたナースコール親機でなくとも他のナースコール親機から確認できるシステムが望まれていた。
【０００５】
そこで、本発明はこのような問題点に鑑み、科目の異なる他病棟の患者情報であっても特定の病棟の患者情報に関しては表示することができるナースコール親機を備えたナースコールシステムを提供することを目的としている。
【課題を解決するための手段】
【０００６】
上記課題を解決する為に、請求項１の発明は、ベッド毎に設置されて患者が看護師を呼び出すためのナースコール子機と、ナースステーションに設置されてナースコール子機からの呼び出しに看護師が応答するためのナースコール親機と、病室毎に設置されてナースコール子機からの呼び出しを報知すると共に呼出信号をナースコール親機に伝送するための廊下灯と、ナースコール親機と廊下灯との間の通信を制御する制御機と、患者名、担当医師、担当看護師、救護区分、処方を含む患者情報が蓄積されたデータベースを有するナースコールサーバとを備えたナースコールシステムにおいて、ナースコール親機を複数具備し、それぞれ患者情報の一覧を表示するモニタを有し、そのうち特定の第１病棟に設置されたナースコール親機は、モニタに他科の特定の第２病棟に設置されたナースコール親機が表示可能な患者情報を表示する他科表示エリアを有し、ナースコールサーバは、ナースコール親機が個々に設置病棟に合わせて表示する患者情報を記憶する第１データベースに加えて、他科表示エリアに表示させるために第２病棟の患者情報の少なくとも一部を複写して記憶する第２データベースを有することを特徴とする。
この構成によれば、特定の第１病棟のナースコール親機は、自身が設置された病棟の患者情報に加えて第２病棟の患者情報も表示できる。そのため、例えば第１病棟を小児科、第２病棟を産科とした場合に、小児科に設置されたナースコール親機に産科の乳児の患者情報を表示させることができ、小児科の医師が乳児を診察する場合にスムーズに対処できる。
【０００７】
請求項２の発明は、請求項１に記載の構成において、ナースコールサーバは、第２病棟の追加或いは変更された患者情報が予め設定された条件を満たしていれば、当該患者情報を複写して第２データベースに記憶することを特徴とする。
この構成によれば、ナースコールサーバが第２データベースに複写する患者情報を認識して自動で第２データベースに複写するため、看護師の負担にならない。
【０００８】
請求項３の発明は、請求項２に記載の構成において、患者の入退院等のオーダを指示するオーダリングシステムがナースコールサーバに接続され、オーダリングシステムにより入院患者が追加されると、ナースコールサーバは追加された患者情報が第２病棟の患者であって、且つ特定の条件を満たしていたら第２データベースに複写して登録することを特徴とする。
この構成によれば、オーダリングシステムにより入院手続きがされると、データが転送されて他科表表示エリアにその患者の患者情報の表示が可能となるため、別途ナースコール親機等で入力操作得する必要が無く、看護師の負担になることがない。
【０００９】
請求項４の発明は、請求項２又は３に記載の構成において、第１病棟が小児科病棟であると共に、第２病棟が産科病棟であって、ナースコールサーバは、新生児が入院患者として追加されたことを検知すると、追加された新生児の患者情報を第２データベースに複写して登録することを特徴とする。
この構成によれば、新生児の入院情報は小児科病棟のナースコール親機で確認でき、小児科において新生児の情報を容易に把握できる。
【００１０】
請求項５の発明は、請求項１乃至４の何れかに記載の構成において、他科表示エリアに表示されている患者のベッドから呼出信号が送信された場合、第２病棟に設置されたナースコール親機でのみ呼び出しを実施することを特徴とする。
この構成によれば、他病棟のナースコール親機で患者情報が表示されても、その患者からの呼出信号の送信は患者が入院している病棟のナースコール親機に対してのみ実施される。よって、表示のみ実施しているナースステーションの看護師の負担が増大することがない。
【発明の効果】
【００１１】
本発明によれば、特定の第１病棟のナースコール親機は、自身が設置された病棟の患者情報に加えて特定の第２病棟の患者情報も表示できる。そのため、例えば第１病棟を小児科、第２病棟を産科とした場合に、小児科に設置されたナースコール親機に産科の乳児の患者情報を表示させることができ、小児科の医師が乳児を診察する場合にスムーズに対処できる。
【図面の簡単な説明】
【００１２】
【図１】本発明に係るナースコールシステムの一例を示す構成図である。
【図２】ナースコール親機の要部回路ブロック図である。
【図３】ナースコールサーバの要部回路ブロック図である。
【図４】ナースコール親機に表示された患者情報の一例を示すモニタ画面図である。
【発明を実施するための形態】
【００１３】
以下、本発明を具体化した実施の形態を、図面を参照して詳細に説明する。図１は本発明に係るナースコールシステムの一例を示す構成図であり、１はベッド毎に設置されて患者が看護師を呼び出すためのナースコール子機（以下、単に「子機」と称する。）、２はナースステーションに設置されてナースコール子機１からの呼び出しに看護師が応答するためのナースコール親機（以下、単に「親機」と称する。）、３は病室毎に設置されて子機１からの呼び出しを報知すると共に呼出信号を親機２に伝送するための廊下灯、４は親機２と廊下灯３との間の通信を制御する制御機、５は患者名、担当医師、担当看護師、救護区分、処方を含む患者情報が蓄積されたデータベースを有するナースコールサーバ、６は患者の入退院等のオーダを指示するオーダリングシステムである。
【００１４】
子機１は病室毎に廊下灯３に伝送線Ｌ１を介して接続され、廊下灯３は廊下灯幹線Ｌ２を介して制御機４に接続され、親機２は伝送線Ｌ３を介して制御機４に接続され、ナースコールサーバ５は伝送線Ｌ４を介して制御機４に接続されている。また、オーダリングシステム６は、ナースコールサーバ５に接続されている。
尚、ここでは、第１病棟Ｅ１及び第２病棟Ｅ２に親機２をそれぞれ設置し、第１病棟Ｅ１が小児科病棟、第２病棟Ｅ２が産科病棟として以下説明する。
【００１５】
子機１は、看護師を呼び出すナースコール呼出を実施する呼出握りボタン１ａと、通話するためのマイク及びスピーカを備えたプレート子機１ｂとで構成され、プレート子機１ｂが廊下灯３に接続されている。
【００１６】
図２は親機２の要部回路ブロック図を示している。図２に示すように、親機２は患者情報を一覧表示する第１モニタ２１、呼出元の患者情報等を表示する第２モニタ２２、通話するためのハンドセット２３、各種操作を実施するために第１モニタ２１上に設けられたタッチパネル２４、第１モニタ２１及び第２モニタ２２へ表示する映像や画像を生成する映像処理部２５、通話音声を制御する音声処理部２６、親機２全体を制御する親機ＣＰＵ２７、制御機４と通信する通信ＩＦ２８等を備えている。
【００１７】
廊下灯３は、病室毎にその入口付近に設置され、ナースコール呼出が発生したら点滅等の報知動作する通知灯３ａ、病室の患者情報を表示する患者情報表示部３ｂを有し、子機１から送出された呼出信号を中継して制御機４に送信する。
【００１８】
図３はナースコールサーバ５の要部回路ブロック図を示している。図３に示すように、ナースコールサーバ５は個々の親機２が表示する患者情報を蓄積した第１データベース５１、特定の患者情報を蓄積する第２データベース５２、ナースコールサーバ５全体を制御するサーバＣＰＵ５３、制御機４及びオーダリングシステム６と通信する通信ＩＦ５４等を備えている。
【００１９】
上記の如く構成されたナースコールシステムの動作は以下の様である。但し、子機１が呼出操作されたら親機２が呼出音を報音し、親機２のハンドセット２３を採り上げると親機２と子機１との間で通話路が形成され、患者と看護師とが通話できる動作は従来と同様であるため説明を省略し、ここでは患者情報の表示を中心に説明する。
【００２０】
小児科病棟Ｅ１において、親機２の第１モニタ２１には小児科に入院中の患者情報の一覧が例えば病室レイアウトに合わせて表示され、所定の操作で産科病棟Ｅ２に入院中の新生児情報を合わせて表示させることができる。
図４は小児科病棟Ｅ１に設置された親機２の第１モニタ２１に患者情報の一覧が表示された状態を示す表示説明図である。図４において、Ａ１に示すエリアが親機２が設置された病棟の患者情報を表示する担当患者表示エリア、即ち親機２を設置したナースステーションの看護師が担当する患者の表示エリアであり、Ｃ１は個々の患者情報表示部である。患者情報は病室毎にベッド配置に合わせて患者情報表示枠を表示し、その枠の中に患者氏名、病室番号、ベッド番号、診療科目等の患者情報が表示されている。
【００２１】
そして、図４に示すように、画面下部には他科表示エリアＡ２が設けられ、小児科病棟には存在しない産科病棟の新生児室の表示エリアが設けられ、ベッド配置に合わせて入院中の患者情報である新生児情報Ｃ２が表示される。
尚、このとき表示される患者情報は、ナースコールサーバ５から読み取って表示され、担当患者表示エリアＡ１の表示情報は第１データベース５１から読み取って表示され、他科表示エリアＡ２の表示情報は第２データベース５２から読み取って表示される。また、この他科表示エリアＡ２に表示される患者情報は産科病棟Ｅ２の親機２のモニタ２１にも表示できることは言うまでもない。
【００２２】
オーダリングシステム６において、出産により新生児の入院オーダが発生すると、オーダリングシステム６からナースコールサーバ５に対して、産科の入院情報が新生児氏名(未定の場合は母親の氏名＋第何子となる）、生年月日、担当医師、担当看護師、救護区分、処方等及びベッド番号(新生児室何番）とともに送付される。
【００２３】
入院情報を受信したナースコールサーバ５は、サーバＣＰＵ５３が入院情報の例えばベッド番号に新生児室が含まれていることを検知して、当該入院情報を第１データベース５１の産科病棟Ｅ２に対応する場所に保存する。同時に、新生児の入院であることを認識して第２データベース５２にコピーして保存し、小児科の入院情報として小児科病棟Ｅ１に設置された親機２の第１モニタ２１下部の新生児室のベッドに新生児情報が表示される。
【００２４】
尚、新生児であるか否かの判別は、上述したようにベッド番号により判別できるが、生年月日で判別しても良い。例えば、産科で１歳未満の患者の入院オーダがあれば、その患者は新生児であると判断して、小児科にも表示を行なうことができる。
また、言うまでもないが、小児科とともに、産科の親機２の第１モニタ２１にも新生児室が表示されており、当該モニタ２１の新生児室のベッドにも新生児を表示し、２つのナースステーションの別々のベッド表示に同一患者が表示される。
【００２５】
そして、小児科の看護師が小児科の親機２の第１モニタ２１上のタッチパネル２４を操作して、新生児を選択すると、新生児の詳しい患者情報がポップアップ等で表示され、小児科から産科の新生児を臨時に診察する際に情報を確認することができる。
【００２６】
また、このような構成のナースコールシステムにおいて、新生児のベッドに体温を検知するセンサ等が呼出握りボタン１ａの代わりにプレート子機１ｂに接続されている場合には、当該センサの作動によりプレート子機１ｂから呼出信号が発生する。この呼出信号を受信した制御機４は、産科病棟Ｅ２の親機２のみに呼出信号を送信して呼出報音及び呼出表示を行ない、小児科病棟Ｅ１の親機２には呼出信号を送信しない。これは、小児科看護師は通常時は新生児の管理を行なっていないし、小児科の看護師の負担を増大させないためである。
【００２７】
このように、特定の第１病棟Ｅ１の親機２は、自身が設置された病棟の患者情報に加えて第２病棟Ｅ２の患者情報も表示できる。そのため、第１病棟Ｅ１が小児科、第２病棟Ｅ２が産科である場合、小児科病棟Ｅ１に設置された親機２に産科病棟Ｅ２の乳児の患者情報を表示させることができ、小児科の医師が乳児を診察する場合にスムーズに対処できる。
また、ナースコールサーバ５が第２データベース２に複写する患者情報を認識して第２データベース５２に複写するため看護師の負担にならないし、オーダリングシステム６により入院手続きがされると、データが転送されて他科表表示エリアＡ２にその患者の患者情報の表示が可能となるため、別途親機２等で入力操作等する必要が無く、看護師の負担になることがない。
【００２８】
尚、上記実施形態は、第１病棟（小児科病棟）Ｅ１、第２病棟（産科病棟）Ｅ２にそれぞれ親機２を１台設置した構成を説明したが、複数台ずつ設置しても良いし、更に多数の病棟を跨いで設置しても良い。そして、小児科病棟Ｅ１の親機２において産科病棟Ｅ２の新生児情報（患者情報）を表示する構成を説明したが、それ以外の科目の病棟間で患者情報の複写表示を行っても良く、スムーズな看護に役立つのは言うまでもない。
また、ナースコールサーバ５の第１データベース５１、第２データベース５２を設けたが、サーバ機能を制御機４に設けても良くその場合は制御機４に患者情報が記憶される。
更に、産科と小児科双方にベッドが表示されているが、産科では母親を基準として入院管理を行なっていることから、産科の親機２では新生児を表示せず、小児科の親機２のモニタのみ新生児を表示しても良い。但し、新生児の異常時には産科で対応する必要があるため、生体モニタ等のセンサを設置して新生児の異常を検出した場合は、産科の親機２で呼出報知を行なうと共に、患者情報である新生児情報の表示が行われる。
【符号の説明】
【００２９】
１・・ナースコール子機、２・・ナースコール親機、３・・廊下灯、４・・制御機、５・・ナースコールサーバ、６・・オーダリングシステム、２１・・第１モニタ（モニタ）、２４・・タッチパネル、５１・・第１データベース、５２・・第２データベース、５３・・サーバＣＰＵ、Ａ２・・他科表示エリア。
【図１】
2015173907.tif 000003
【図２】
2015173907.tif 000004
【図３】
2015173907.tif 000005
【図４】
2015173907.tif 000006